(57)【要約】【課題】表示態様の斬新さを向上させた表示装置を提供する。【解決手段】表示装置１００は、画像表示式の表示部である液晶表示器１１１を備え、車両外部を撮影する複数のカメラ８１が設置された車両に搭載されて用いられる表示装置である。液晶表示器１１１は、車両の外観を表す車両画像６１と、複数のカメラ８１のうちの１つのカメラにより撮影された外部画像７１と、車両画像６１の周囲に配置され、当該１つのカメラの撮影方向を呈示する方向呈示画像６５と、を表示する。【選択図】図５
2014221630.tif 000002
【特許請求の範囲】
【請求項１】
車両外部を撮影する複数のカメラが設置された車両に搭載されて用いられる表示装置であって、
画像表示式の表示部を備え、
該表示部は、車両の外観を表す車両画像と、前記複数のカメラのうちの少なくとも１つのカメラにより撮影された外部画像と、前記車両画像の周囲に配置され、前記少なくとも１つのカメラの撮影方向を呈示する方向呈示画像と、を表示する、
ことを特徴とする表示装置。
【請求項２】
前記表示部の表示内容を制御する制御部を更に備え、
前記表示部は、通常表示状態においては、前記車両画像と、前記車両に関する情報を呈示するための計器画像と、を表示し、方向呈示状態においては、前記車両画像と、前記外部画像と、前記方向呈示画像と、を表示し、
前記制御部は、所定の入力信号を受け付けると、前記表示部を前記通常表示状態から前記方向呈示状態に遷移させ、前記計器画像に代えて前記外部画像を表示させる、
ことを特徴とする請求項１に記載の表示装置。
【請求項３】
前記表示部は、前記通常表示状態から前記方向呈示状態に遷移する過程において、前記表示部の表示面に対する傾斜角が徐々に小さくなるように前記車両画像を表示する、
ことを特徴とする請求項２に記載の表示装置。
【請求項４】
前記制御部は、方向指示器が操作されたことを示す入力信号を受け付けると、前記表示部を前記通常表示状態から前記方向呈示状態に遷移させ、
前記表示部は、前記方向呈示状態に遷移すると、前記車両画像と、前記複数のカメラのうちの、前記方向指示器の操作に対応する撮影方向を撮影したカメラにより撮影された前記外部画像と、前記方向呈示画像と、を表示する、
ことを特徴とする請求項２及び請求項３のいずれか１項に記載の表示装置。
【請求項５】
前記制御部は、前記車両の周辺に検知物が存在することが検知されたことを示す入力信号を受け付けると、前記表示部を前記通常表示状態から前記方向呈示状態に遷移させ、
前記表示部は、前記方向呈示状態に遷移すると、前記車両画像と、前記複数のカメラのうちの、前記車両に対する前記検知物の存在方向に対応する撮影方向を撮影したカメラにより撮影された前記外部画像と、前記方向呈示画像と、を表示する、
ことを特徴とする請求項２〜請求項４のいずれか１項に記載の表示装置。
【請求項６】
前記表示部は、前記通常表示状態においては、前記車両画像と、各々で呈示する情報が異なる複数の前記計器画像と、を表示し、前記方向呈示状態においては、前記車両画像と、前記外部画像と、前記方向呈示画像と、を表示し、
前記制御部は、前記入力信号を受け付けると、前記表示部を前記通常表示状態から前記方向呈示状態に遷移させ、受け付けた前記入力信号に基づいて特定した前記計器画像に代えて、当該特定した計器画像が表示されていた位置に、前記外部画像を表示させる、
ことを特徴とする請求項２〜請求項５のいずれか１項に記載の表示装置。
【発明の詳細な説明】
【技術分野】
【０００１】
本発明は、例えば速度計や回転計等の計器類を表示する車両用のメータユニット等に利用可能な表示装置に関し、特にグラフィック表示が可能な表示装置に関する。
【背景技術】
【０００２】
車両用のメータユニットとして、従来より、物理的に指針を動かして車速、エンジン回転数等の車両の状態を示す情報を表示するアナログメータや、数値や文字のセグメント表示により情報を表示するデジタルメータが知られている。
【０００３】
また、近年では、個別に表示形態を制御可能な多数の画素の組み合わせにより任意の画像をグラフィック表示可能な液晶表示パネル等が比較的安価に入手可能である。このため、様々なグラフィック表示を用いてメータユニットにおける計器等の表示を実現することが試みられている。
【０００４】
例えば、特許文献１においては、液晶表示パネルの画面に画像を表示することにより、様々な計器の表示を可能にしている。
【先行技術文献】
【特許文献】
【０００５】
【特許文献１】特開２０００−２２１９１５号公報
【発明の概要】
【発明が解決しようとする課題】
【０００６】
ところで、メータユニットにグラフィック表示を採用する場合には、表示する内容を様々な形態で自由に表現することが可能である。しかしながら、グラフィック表示を採用した場合であっても、運転中の視認性を重視するために、メータユニットの表示画面上には、指針を有する従来のアナログメータと同等の内容を表示することが求められる傾向がある。
【０００７】
このようにアナログメータと同等の表現方法を利用する場合には、高機能のグラフィック表示を採用しているにもかかわらず、既視的な古い表示と変わりないものと車両のユーザに認識されてしまう虞があった。即ち、斬新さや特別な高級感をユーザに感じさせることができないために、グラフィック表示を採用してもそれに見合った特別な付加価値を生み出すことができない虞があった。
【０００８】
本発明は、上述した事情に鑑みてなされたものであり、表示態様の斬新さを向上させた表示装置を提供することを目的とする。
【課題を解決するための手段】
【０００９】
前述した目的を達成するために、本発明に係る表示装置は、下記（１）〜（６）を特徴としている。
（１）  車両外部を撮影する複数のカメラが設置された車両に搭載されて用いられる表示装置であって、
画像表示式の表示部を備え、
該表示部は、車両の外観を表す車両画像と、前記複数のカメラのうちの少なくとも１つのカメラにより撮影された外部画像と、前記車両画像の周囲に配置され、前記少なくとも１つのカメラの撮影方向を呈示する方向呈示画像と、を表示する、
こと。
（２）  上記（１）に記載の表示装置であって、
前記表示部の表示内容を制御する制御部を更に備え、
前記表示部は、通常表示状態においては、前記車両画像と、前記車両に関する情報を呈示するための計器画像と、を表示し、方向呈示状態においては、前記車両画像と、前記外部画像と、前記方向呈示画像と、を表示し、
前記制御部は、所定の入力信号を受け付けると、前記表示部を前記通常表示状態から前記方向呈示状態に遷移させ、前記計器画像に代えて前記外部画像を表示させる、
こと。
（３）  上記（２）に記載の表示装置であって、
前記表示部は、前記通常表示状態から前記方向呈示状態に遷移する過程において、前記表示部の表示面に対する傾斜角が徐々に小さくなるように前記車両画像を表示する、
こと。
（４）  上記（２）及び（３）のいずれか１つに記載の表示装置であって、
前記制御部は、方向指示器が操作されたことを示す入力信号を受け付けると、前記表示部を前記通常表示状態から前記方向呈示状態に遷移させ、
前記表示部は、前記方向呈示状態に遷移すると、前記車両画像と、前記複数のカメラのうちの、前記方向指示器の操作に対応する撮影方向を撮影したカメラにより撮影された前記外部画像と、前記方向呈示画像と、を表示する、
こと。
（５）  上記（２）〜（４）のいずれか１つに記載の表示装置であって、
前記制御部は、前記車両の周辺に検知物が存在することが検知されたことを示す入力信号を受け付けると、前記表示部を前記通常表示状態から前記方向呈示状態に遷移させ、
前記表示部は、前記方向呈示状態に遷移すると、前記車両画像と、前記複数のカメラのうちの、前記車両に対する前記検知物の存在方向に対応する撮影方向を撮影したカメラにより撮影された前記外部画像と、前記方向呈示画像と、を表示する、
こと。
（６）  上記（２）〜（５）のいずれか１つに記載の表示装置であって、
前記表示部は、前記通常表示状態においては、前記車両画像と、各々で呈示する情報が異なる複数の前記計器画像と、を表示し、前記方向呈示状態においては、前記車両画像と、前記外部画像と、前記方向呈示画像と、を表示し、
前記制御部は、前記入力信号を受け付けると、前記表示部を前記通常表示状態から前記方向呈示状態に遷移させ、受け付けた前記入力信号に基づいて特定した前記計器画像に代えて、当該特定した計器画像が表示されていた位置に、前記外部画像を表示させる、
こと。
【００１０】
上記（１）の構成の表示装置によれば、車両の外観を表す車両画像と、当該車両画像の周囲に配置され、外部画像を撮影したカメラの撮影方向を呈示する呈示画像とが併せて表示されるので、これらの画像が関連付けられ、グラフィック表示を用いた新奇な表現によって、外部画像がどの方向を撮影したものであるかをユーザに伝達することができる。これにより、表示態様の斬新さを向上させつつ、外部画像の撮影方向をユーザに適切に伝達することができる。
上記（２）の構成の表示装置によれば、車両画像と計器画像とが表示された通常表示状態から方向呈示状態に遷移すると、当該計器画像が外部画像に切替わり、更に方向呈示画像が表示される。このため、例えば、ユーザは、所定の操作を行なって入力信号を制御部に入力することにより、表示装置を通常表示状態から方向呈示状態に遷移させ、外部画像及び方向呈示画像を表示させることができる。或いは、所定の条件を満たすことにより、ユーザからの入力なしで所定の入力信号が制御部に入力され、表示装置が通常表示状態から方向呈示状態に遷移し、外部画像及び方向呈示画像を表示する構成とすることができる。このように表示内容が遷移するので、利便性を向上しつつ、新奇な表現とすることができ、ユーザに斬新な印象を与えることができる。また、計器画像に代えて外部画像を表示するので、表示スペースを有効活用することができる。この場合、外部画像に代替される計器画像としては、法規制対象外のもの（例えば、回転数計、水温計等の速度計以外の計器画像。）を選択する。法規制上、メータユニットには速度情報を呈示する必要があるからである。
上記（３）の構成の表示装置によれば、視点が車両の側方から上方に向けて変化するような印象をユーザに与えることができ、表示態様の斬新さを向上することができる。また、遷移後には車両を上方視した状態となるため、方向呈示画像を車両画像の近傍に表示した場合にカメラの撮影方向をユーザが把握し易い。
上記（４）の構成の表示装置によれば、ユーザは、方向指示器を操作することにより、表示装置を通常表示状態から方向呈示状態に遷移させ、外部画像及び方向呈示画像を表示させることができる。この際、方向指示器の操作に対応する撮影方向を撮影したカメラにより撮影した外部画像が表示される。これにより、表示される外部画像の撮影方向を直感的に把握することができ、利便性を向上することができる。また、操作方向と撮影方向を一致させて新奇な表現とすることができ、ユーザに斬新な印象を与えることができる。
上記（５）の構成の表示装置によれば、検知物の存在が検知されることにより、表示装置が通常表示状態から方向呈示状態に遷移し、外部画像及び方向呈示画像が表示される。また、この場合には、検知物の存在方向に対応する撮影方向を撮影したカメラにより撮影した外部画像が表示される。このため、例えば障害物である検知物の存在をユーザが速やかに認識することができるので、利便性を向上することができる。また、検知物の存在方向と撮影方向を一致させて新奇な表現とすることができ、ユーザに斬新な印象を与えることができる。
上記（６）の構成の表示装置によれば、通常状態では複数の計器画像が表示され、方向呈示状態では、当該複数の計器画像のうちの、入力信号に基づいて特定された計器画像に代えて、当該特定された計器画像が表示されていた位置に、外部画像が表示される。即ち、入力信号の種別に従って、外部画像に代替される計器画像が異なり、外部画像が表示される位置が異なる。入力信号は、ユーザからの操作によるものでもよいし、その他の例えば検知物の検知情報に基づくものでもよい。この構成によれば、表示画面の遷移を多様なものとすることができ、ユーザに斬新な印象を与えることができる。
【発明の効果】
【００１１】
本発明によれば、表示態様の斬新さを向上させた表示装置を提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本実施形態に係る表示装置１００のハードウェアの構成例を示した図である。
【図２】図２は、車両６２に設置されたカメラ８１及び障害物検知センサ８３の配置を示す図である。
【図３】図３は、通常表示状態における表示装置１００の液晶表示器１１１に表示されるグラフィック表示領域１１１ａを示す図である。
【図４】図４は、表示内容の変更時における表示装置１００の表示動作手順を示すフローチャートである。
【図５】図５（Ａ）〜図５（Ｃ）は、表示内容の変更時におけるグラフィック表示領域１１１ａの遷移を示す図である。
【図６】図６は、液晶表示器１１１の表示面に対する車両の傾斜角を説明するための説明図である。
【発明を実施するための形態】
【００１４】
以下、本実施形態に係る表示装置について図面を用いて説明する。本実施形態に係る表示装置は、車室内のインストルメントパネルに設置されたグラフィックメータに適用される。実施形態の表示装置は、通常表示状態と方向呈示状態とで表示内容を変更する機能を有するものである。
【００１５】
＜表示装置の構成例＞
図１は、本実施形態に係る表示装置１００のハードウェアの構成例を示した図である。図１に示すように、表示装置１００は、マイクロコンピュータ（ＣＰＵ：Central Processing Unit）１０１、読み出し専用メモリ（ＥＥＰＲＯＭ：Electrically Erasable Programmable Read Only Memory）１０２、インタフェース１０３、インタフェース１０４、ＣＰＵ電源部１０５、グラフィックコントローラ１０６、フレームメモリ１０７、Ｘドライバ１０８、Ｙドライバ１０９、ＬＣＤ（Liquid Crystal Display）電源部１１０、液晶表示器（ＴＦＴ−ＬＣＤ：Thin Film Transistor Liquid Crystal Display）１１１、及びインタフェース１１２を備えている。
【００１６】
マイクロコンピュータ１０１は、制御部であり、予め用意されたプログラムを実行し、表示装置１００の機能を実現するために必要な様々な処理を行う。例えば、後述する図４のフローチャートに示した処理等をマイクロコンピュータ１０１が行う。
【００１７】
読み出し専用メモリ１０２は、マイクロコンピュータ１０１が実行するプログラムの内容や、各計器画像（後述する速度計４１、燃料計４２、回転計５１、水温計５２を表す画像）、車両画像６１等の画像データや、各種固定データ等を保持している。
【００１８】
インタフェース１０３は、車両側のイグニッションスイッチの状態を表す信号（ＩＧＮ＋）をマイクロコンピュータ１０１に入力する。
【００１９】
インタフェース１０４は、マイクロコンピュータ１０１と車両側の各種制御装置（ＥＣＵ：Electric Control Unit）との間で、ＣＡＮ（Controller Area Network）規格による通信を行うために利用される。具体的には、現在の車両の走行速度、エンジン回転数、冷却水温、燃料残量、クラッチ接続の有無等の現在の様々な車両状態を表すデータが、ほぼリアルタイムのデータとして車両側からインタフェース１０４を介してマイクロコンピュータ１０１に入力される。
【００２０】
例えば、インタフェース１０４は、車両が所定量移動する毎に当該車両側に搭載された速度センサから出力される車速パルス信号を受け付け、現在の車両の走行速度の値を表す走行速度情報としてマイクロコンピュータ１０１に出力する。
【００２１】
また、インタフェース１０４は、エンジンの回転数を検出するエンジン回転数センサから出力されるパルス信号を受け付け、エンジン回転数情報としてマイクロコンピュータ１０１に出力する。また、インタフェース１０４は、燃料センサによって検出された燃料残量に関する情報を受け付け、マイクロコンピュータ１０１に出力する。また、インタフェース１０４は、ラジエータ内の冷却水の温度を検出する水温センサからの信号を受け付け、冷却水情報としてマイクロコンピュータ１０１に出力する。
【００２２】
インタフェース１１２は、液晶表示器１１１に表示されるグラフィック画面に関する操作等を受付可能なスイッチである方向指示器（ウインカスイッチ）に接続され、ウインカ操作指示を受け付け、当該ウインカ操作指示に対応した信号をマイクロコンピュータ１０１に出力する。即ち、インタフェース１１２は、左側の方向指示灯（図示せず）を点灯させるためのウインカ操作が為されたのか、右側の方向指示灯（図示せず）を点灯させるためのウインカ操作が為されたのかを識別可能な信号をマイクロコンピュータ１０１に出力する。
【００２３】
また、インタフェース１１２は、車両の前方、後方及び左右方向にそれぞれ設置された複数の障害物検知センサ８３（図２参照）に接続され、障害物検知センサ８３によって検知された信号をマイクロコンピュータ１０１に出力する。障害物検知センサとしては、例えば、送信部及び受信部を備えた超音波センサを用いることができる。超音波センサは、送信部から発した超音波が障害物によって反射され、反射した超音波が受信部で一定時間内に検出された場合、障害物有りの信号を出力する。尚、障害物検知センサとしては、検知物までの距離を測定可能な他の公知のセンサを利用することができる。
【００２４】
また、インタフェース１１２は、車両の前方、後方及び左右方向にそれぞれ設置された複数のカメラ８１（図２参照）に接続され、カメラ８１によって撮影された映像データをマイクロコンピュータ１０１に出力する。
【００２５】
図２は、車両６２に設置されたカメラ８１及び障害物検知センサ８３の配置を示す図である。車両６２には、車両６２の前方、後方及び左右方向をそれぞれ撮影するカメラ８１ａ、８１ｂ、８１ｃ、８１ｄからなる４台のカメラ８１が設置されている。以下では、これらのカメラ８１ａ、８１ｂ、８１ｃ、８１ｄを特に区別する必要がない場合、単にカメラ８１と総称する。これら４台のカメラ８１のうちのいずれか１つにより撮影された映像（画像）が、後述する外部画像７１（図５（Ｃ）参照）として用いられる。
【００２６】
また、車両６２には、車両６２の前方、後方及び左右方向に障害物の有無を検知する障害物検知センサ８３ａ、８３ｂ、８３ｃ、８３ｄが設置されている。以下では、これらの障害物検知センサ８３ａ、８３ｂ、８３ｃ、８３ｄを特に区別する必要がない場合、単に障害物検知センサ８３と総称する。
【００２７】
また、車両６２のステアリングコラム（図示せず）には、公知のレバースイッチであるウインカスイッチ（方向指示器、図示せず）が設けられている。
【００２８】
再び図１を参照して、ＣＰＵ電源部１０５は、車両側のプラス側電源ライン（＋Ｂ）から供給される直流電力を入力してマイクロコンピュータ１０１の動作に必要な直流電圧（Ｖｃｃ）を生成する。また、必要に応じてリセット信号を生成したり、マイクロコンピュータ１０１から出力されるスリープ信号に従って電力供給を抑制するための動作も行う。
【００２９】
液晶表示器１１１は、画像表示式の表示部であり、液晶デバイスにより構成された多数の微小表示セルをＸ方向およびＹ方向に並べて配置されたカラーの２次元表示画面を有している。多数の微小表示セルの表示状態をセル毎に個別に制御することにより、２次元表示画面上に図形、文字、画像等の所望の情報をグラフィック表示することができる。
【００３０】
このように、液晶表示器１１１は、２次元画面表示によって表示装置１００のグラフィック表示領域１１１ａを表示する。また、液晶表示器１１１の表示内容の制御は、後述するようにマイクロコンピュータ１０１によって実行される。
【００３１】
液晶表示器１１１の表示画面のＹ方向の走査位置は、Ｙドライバ１０９の出力により順次に切り替わる。Ｙドライバ１０９は、グラフィックコントローラ１０６から出力される垂直同期信号に同期して、Ｙ方向の走査位置を順次に切り替える。
【００３２】
Ｘドライバ１０８は、グラフィックコントローラ１０６から出力される水平同期信号に同期して液晶表示器１１１の表示画面のＸ方向の走査位置を順次に切り替える。また、Ｘドライバ１０８はグラフィックコントローラ１０６から出力されるＲＧＢ各色の画像データを走査位置の表示セルに与えて画面中の表示内容を制御する。
【００３３】
グラフィックコントローラ１０６は、マイクロコンピュータ１０１から入力される様々な命令に従って、様々なグラフィック要素を液晶表示器１１１の画面上に表示する。実際には、画素毎の表示内容を保持するフレームメモリ１０７に対して、マイクロコンピュータ１０１又はグラフィックコントローラ１０６が表示データを書き込みグラフィックの描画を行う。また、液晶表示器１１１の画面を２次元走査するための垂直同期信号及び水平同期信号を生成し、これらの同期信号に同期したタイミングでフレームメモリ１０７上の該当するアドレスに格納されている表示データを液晶表示器１１１に与える。
【００３４】
ＬＣＤ電源部１１０は、車両側のプラス側電源ライン（＋Ｂ）から供給される直流電力を入力して、液晶表示器１１１の表示に必要とされる所定の直流電力を生成する。
【００３５】
＜表示画面の具体例＞
図３は、通常表示状態における表示装置１００の液晶表示器１１１に表示されるグラフィック表示領域１１１ａを示す図である。図３に示したグラフィック表示領域１１１ａ上には、速度計４１、燃料計４２、回転計５１、水温計５２、及び車両画像６１がそれぞれ表示されている。尚、これらの各表示要素は、多数の表示画素の集合により表現されるグラフィック表示要素として実現されている。
【００３６】
速度計（計器画像）４１は、車両の状態に関する情報として現在の走行速度（車速：ｋｍ／ｈ）を呈示するための円形状の表示要素である。本実施形態では、一般的なアナログ計器と同様に、速度計４１は、円環状の速度スケール４５と、速度スケール４５の中心近傍に配置され、速度スケール４５の一部を指し示して現在の車速を呈示する指針４６と、を含んで構成されている。速度計４１は、図３に示すように、グラフィック表示領域１１１ａにおける一端側（図中左端側）に配置されている。
【００３７】
燃料計（計器画像）４２は、車両の状態に関する情報として現在の車両の燃料残量を呈示するための円形状の表示要素である。本実施形態では、一般的なアナログ計器と同様に、燃料計４２は、上記速度スケール４５よりも径が小さい円環状の燃料スケール４７と、燃料スケール４７の中心近傍に配置され、燃料スケール４７の一部を指し示して現在の燃料残量を呈示する指針４８と、を含んで構成されている。図３に示すように、燃料計４２は、速度計４１よりも表示面積が小さい。また、燃料計４２は、グラフィック表示領域１１１ａにおいて、速度計４１と重複する部分を有するように、当該速度計４１よりも回転計５１側に（即ち、中央側、他端側に。）配置されている。また、当該重複部分には、燃料計４２は表示されず、速度計４１が表示されている。
【００３８】
回転計（計器画像）５１は、車両の状態に関する情報として現在のエンジンの回転数（×１０００ｒｐｍ）を呈示するための円形状の表示要素である。本実施形態では、一般的なアナログ計器と同様に、回転計５１は、上記速度スケール４５と略同一形状の円環状の回転速度スケール５５と、該回転速度スケール５５の中心近傍に配置され、回転速度スケール５５の一部を指し示して現在の回転速度を呈示する指針５６と、を含んで構成されている。回転計５１は、図３に示すように、グラフィック表示領域１１１ａにおいて、速度計４１が配置された一端側とは反対側の他端側（図中右端側）に、速度計４１と対向して配置されている。
【００３９】
水温計（計器画像）５２は、車両の状態に関する情報として現在の車両の冷却水の温度を呈示するための円形状の表示要素である。本実施形態では、一般的なアナログ計器と同様に、水温計５２は、上記燃料スケール４７と略同一形状の円環状の水温スケール５７と、該水温スケール５７の中心近傍に配置され、水温スケール５７の一部を指し示して現在の冷却水の温度を呈示する指針５８と、を含んで構成されている。水温計５２は、図３に示すように、グラフィック表示領域１１１ａにおいて、回転計５１と重複する部分を有するように、当該回転計５１よりも速度計４１側に（即ち、中央側、一端側に。）配置されている。また、当該重複部分には、水温計５２は表示されず、回転計５１が表示されている。
【００４０】
これら回転計５１及び水温計５２は、図１に示す通常表示状態においては表示される。一方、後述する方向呈示状態では、回転計５１及び水温計５２は消去され、これらの代わりに、前方、後方、左方向及び右方向に設置された４つのカメラ８１ａ、８１ｂ、８１ｃ、８１ｄのうちのいずれか１つのカメラにより撮影された外部画像７１（図５（Ｃ）参照）が表示される。即ち、本実施形態では、通常表示状態においては、各々で呈示する情報が異なる複数の計器画像（走行速度を呈示する速度計４１、燃料残量を呈示する燃料計４２、エンジンの回転数を呈示する回転計５１、冷却水の温度を呈示する水温計５２）が表示され、方向呈示状態においては、これらのうちの２つの計器画像（回転計５１、水温計５２）に代えて外部画像７１が表示される。この表示内容の遷移の詳細については後述する。
【００４１】
車両画像６１は、車両の外観を表す表示要素であり、図３に示したグラフィック表示領域１１１ａにおいては画面の中央部に配置されている。即ち、車両画像６１は、一端側に配置された速度計４１及び燃料計４２と、他端側に配置された回転計５１及び水温計５２との間に配置されている。この車両画像６１は、例えば、車両の現在の状態を数値等による表示ではなくグラフィック的に表現するために利用できる。例えば、表示装置１００が搭載された車両の助手席のドアが開いている場合に、車両画像６１の助手席のドアが開いているように表示することにより、ユーザに助手席のドアが開いていることを報知できる。つまり、車両画像６１は、車両の状態に関する情報を、車両を模擬した画像により表示するための装飾画像である。また、本実施形態では、車両画像６１が、外部画像７１を撮影したカメラの撮影方向を呈示するためにも用いられる。即ち、本実施形態では、車両画像６１の周囲に後述する方向呈示画像６５（図５（Ｃ）参照）が表示され、当該方向呈示画像６５の車両画像６１に対する位置関係（配置位置）によって外部画像７１の撮影方向が呈示される。この表示内容の遷移の詳細については後述する。
【００４２】
＜表示装置の動作＞
以上の構成を有する表示装置１００の表示内容の変更動作について図４〜図６を参照しつつ説明する。図４は、表示内容の変更時における表示装置１００の表示動作手順を示すフローチャートである。図５（Ａ）〜図５（Ｃ）は、表示内容の変更時におけるグラフィック表示領域１１１ａの遷移を示す図である。図４に示す処理を実行するための動作プログラムは、読み出し専用メモリ１０２に記憶されており、マイクロコンピュータ１０１によって実行される。
【００４３】
まず、運転手は、イグニッションスイッチをオンにする。直流電圧（Ｖｃｃ）が供給されたマイクロコンピュータ１０１は、グラフィック表示領域１１１ａへの表示を開始する。
【００４４】
マイクロコンピュータ１０１は、表示を開始すると、通常表示状態におけるメータ表示処理を行う。通常表示状態においては、図５（Ａ）に示すように、マイクロコンピュータ１０１は、グラフィック表示領域１１１ａの表示内容が自動車用の通常のメータユニットとして機能するように、表示制御を実施する。即ち、最新の車速の情報をインタフェース１０４を介して取得して、この車速を速度計４１の指針４６の表示位置及び向きに反映するように表示内容を更新する。また、最新のエンジン回転数の情報をインタフェース１０４を介して取得して、このエンジン回転数を回転計５１の指針５６の表示位置及び向きに反映するように表示内容を更新する。燃料計４２、水温計５２等の他の表示要素についても同様である。
【００４５】
ステップＳ１では、マイクロコンピュータ１０１は、インタフェース１１２を介して入力される表示遷移情報を取得する。例えば、ウインカ操作指示の有無等を検出する。
【００４６】
マイクロコンピュータ１０１は、外部画像７１を表示すべきである外部映像表示状態でか否かを判別する（ステップＳ２）。より具体的には、ウインカ操作指示が有ったか否かを判定し、ウインカ操作指示があったと判定した場合には、外部映像表示状態であると判別し、ウインカ操作指示がなったと判定した場合には、外部映像表示状態でないと判別する。外部映像表示状態でない場合、マイクロコンピュータ１０１はステップＳ１の処理を再度実行する。
【００４７】
一方、外部映像表示状態である場合、マイクロコンピュータ１０１は、インタフェース１１２からの信号に基づいて、ウインカ操作が為された方向が左方向であるか右方向であるかを識別する（ステップＳ３）。以下では、ウインカ操作指示により特定された方向が左方向である場合について説明する。
【００４８】
続いて、マイクロコンピュータ１０１は、車両画像６１の表示態様を変更する処理を行う（ステップＳ４）。
【００４９】
ここで、図６を参照して、車両画像６１の表示処理について説明する。図６は、液晶表示器１１１の表示面に対する車両６２の傾斜角を説明するための説明図である。液晶表示器１１１の表示面に対する車両６２の傾斜角θが変化するように車両画像６１の表示態様を変更することにより、視点（アイポイント）からの車両６２の視え方が変化する。傾斜角θが値０である場合、上方から視たように車両６２が液晶表示器１１１に表示される。
【００５０】
通常表示状態では、図５（Ａ）に示すように、傾斜角θが大きく、つまり、車両の後方よりやや上方から視た状態の車両６２が描かれた車両画像６１Ａが液晶表示器１１１に表示される。
【００５１】
一方、通常表示状態から方向呈示状態に遷移する過程では、図５（Ｂ）に示すように、傾斜角θが徐々に小さくなるように車両６２が描かれた車両画像６１Ｂが液晶表示器１１１に表示される。
【００５２】
そして、方向呈示状態では、図５（Ｃ）に示すように、傾斜角θが値０、つまり、上方から視たように車両６２が描かれた車両画像６１Ｃが液晶表示器１１１に表示される。これら３枚の車両画像６１Ａ、６１Ｂ、６１Ｃは、ＥＥＰＲＯＭ１０２に予め記録されている。マイクロコンピュータ１０１は、ステップＳ４の処理を開始すると、車両画像６１Ａから車両画像６１Ｂ、６１Ｃと切り替える表示制御を行う。以下では、これらの車両画像６１Ａ、６１Ｂ、６１Ｃを特に区別する必要が無い場合、単に車両画像６１と称する。
【００５３】
また、ここでは、通常表示状態から方向呈示状態に遷移する過程では、３枚の車両画像６１Ａ、６１Ｂ、６１Ｃを用いる構成について説明したが、任意の枚数の車両画像が用いられる構成としても構わない。また、傾斜角θが異なる複数の車両画像を段階的に切り替えて表示する代わりに、立体的なグラフィック処理により連続的に車両が変化するように車両画像を表示させてもよい。傾斜角θが徐々に小さくなるように車両画像６１が表示され、最終的に上方から視たように車両６２が描画される構成であればよい。
【００５４】
ステップＳ４で車両画像６１の表示処理を終えると、マイクロコンピュータ１０１は、上方から視た車両６２が描かれた車両画像６１Ｃに対して、カメラ８１で撮影された画像の撮影方向に対応する位置に方向呈示画像６５を表示し、方向呈示状態とする（ステップＳ５）。ここでは、ステップＳ３において特定された方向が左方向であるので、図５（Ｃ）に示すように、カメラ８１の撮影方向を表すための方向呈示画像６５である、左方向を表す方向呈示画像６５ｃ、右方向を表す方向呈示画像６５ｄ、後方を表す方向呈示画像６５ｂ及び前方を表す方向呈示画像６５ａのうち、左方向を表す方向呈示画像６５ｃの輝度が高く表示されている。これにより、ユーザは、外部画像７１の撮影方向が左方向であることを容易に把握できる。尚、以下では、方向呈示画像６５ａ、６５ｂ、６５ｃ、６５ｄを特に区別する必要がない場合、単に方向呈示画像６５と総称する。
【００５５】
その後、マイクロコンピュータ１０１は、回転計５１及び水温計５２を消去し（ステップＳ６）、これらの計器画像の代わりに、当該計器画像が消去された位置に外部画像７１を表示する（ステップＳ７）。ここでは、ステップＳ３において特定された方向が左方向であるので、車両６２の左方向を撮影するカメラ８１ｃにより撮影された画像が外部画像７１として表示されている。本実施形態では、ウインカ操作が左方向、右方向のいずれの場合であっても、外部画像７１は常に右側に表示される。ステップＳ７の処理の後、マイクロコンピュータ１０１は、再度ステップＳ１の処理を実行する。
【００５６】
以上説明したように、本実施形態に係る表示装置１００では、液晶表示器１１１には、通常表示状態においては、傾斜角θが比較的大きい状態の車両画像６１と、計器画像である速度計４１、燃料計４２、回転計５１、水温計５２等が表示される（図５（Ａ））。この通常表示状態において、方向指示器が操作されてウインカ操作指示がマイクロコンピュータ１０１に入力されると、表示状態が方向呈示状態に遷移する。通常表示状態から方向呈示状態に遷移する過程においては、傾斜角θが徐々に小さくなるように車両画像６１が表示される（図５（Ｂ）、図５（Ｃ））。そして、方向呈示状態に完全に遷移すると、車両画像６１は、傾斜角が値０に近づき、車両６２を上方から視たように表示される。また、当該方向呈示状態に遷移すると、計器画像のうちの回転計５１及び水温計５２に代えて、４台のカメラ８１のうちの方向指示器の操作に対応する撮影方向を撮影したカメラにより撮影された外部画像７１が表示される。さらに、方向呈示状態に遷移すると、外部画像７１の撮影方向に対応した位置に配置された方向呈示画像６５が、他の方向呈示画像６５とは異なる表示態様で、識別可能に表示され、外部画像７１を撮影したカメラ８１の撮影方向が呈示される。
【００５７】
尚、以上説明した処理では、ステップＳ３において特定されたウインカの操作方向が左方向である場合について説明したが、右方向が特定された場合についても同様に処理される。即ち、この場合には、ステップＳ５で、方向呈示画像６５のうち、右方向を表す方向呈示画像６５ｄの輝度が高く表示され、ステップＳ７では、右方向を撮影するカメラ８１ｄにより撮影された画像が外部画像７１として表示される。
【００５８】
（変形例１）
上記実施形態では、方向指示器によるウインカ操作指示が検知された場合に方向呈示状態に遷移する構成としたが、ウインカ操作指示の検知の代わりに車両６２の周辺に検知物（障害物）が検知された場合に遷移する構成としても構わない。即ち、図４のステップＳ１で、マイクロコンピュータ１０１が表示遷移情報として障害物の検知情報を用いる構成としても構わない。より具体的には、図４のステップＳ１で障害物検知センサ８３により障害物の有無を検知し、ステップＳ２で障害物の有無に応じて、外部映像表示状態であるか否かを判別し、さらに、ステップＳ３で障害物が検知された方向である障害物の存在方向を識別する。その他の処理については、上記実施形態と同様であり、例えば車両前方に配置された障害物検知センサ８３が障害物を検知した場合には、車両前方を撮影するカメラ８１ａにより撮影された画像を外部画像７１として表示し、車両画像６１の近傍に配置された、前方を表す方向呈示画像６５ａの輝度を高く表示する。
【００５９】
（変形例２）
また、上記実施形態では、通常表示状態では、右方向及び左方向のいずれのウインカ操作指示が為された場合であっても、必ず回転計５１及び水温計５２に代えて、外部画像７１が表示される例について説明した。変形例として、右方向を示すウインカ指示が為された場合には、上記実施形態と同様に、計器画像である速度計４１、燃料計４２、回転計５１、水温計５２のうちの、右方に表示された回転計５１及び水温計５２に代えて右方を撮影した外部画像７１を表示し、これに対して、左方向を示すウインカ指示が為された場合には、計器画像である速度計４１、燃料計４２、回転計５１、水温計５２のうちの、左方に表示された速度計４１及び燃料計４２に代えて左方を撮影した外部画像７１を表示し、且つ当該速度計４１及び燃料計４２を、右方に表示された回転計５１及び水温計５２に代えて表示する構成としても構わない。車両画像６１及び方向呈示画像６５についてはいずれの場合においても表示位置は変わらない。尚、この変形例２において、回転計５１及び水温計５２に代えて速度計４１及び燃料計４２を表示する構成としたのは、法律により速度計４１をグラフィック表示領域１１１ａから消去することはできないからである。即ち、変形例２では、マイクロコンピュータ１０１は、入力信号（ウインカ操作入力信号又は障害物検知信号）を受け付けると、液晶表示器１１１を通常表示状態から方向呈示状態に遷移させ、受け付けた前記入力信号に基づいて特定した計器画像に代えて、当該特定した計器画像が表示されていた位置に、外部画像７１を表示させる。
【００６０】
以下では、本実施形態に係る表示装置１００の作用及び効果について説明する。
【００６１】
（１）実施形態に係る表示装置１００は、個別に表示形態を制御可能な多数の画素の組み合わせにより任意の画像を表示可能な画像表示式の表示部である液晶表示器１１１を備え、車両外部を撮影する複数のカメラ８１が設置された車両６２に搭載されて用いられる表示装置である。液晶表示器１１１は、車両の外観を表す車両画像６１と、複数のカメラ８１のうちの１つのカメラ（例えば、カメラ８１ｃ）により撮影された外部画像７１と、車両画像６１の周囲に配置され、当該１つのカメラの撮影方向（例えば、左方向）を呈示する方向呈示画像６５（例えば、方向呈示画像６５ｃ）と、を表示する。
このように、車両の外観を表す車両画像６１と、当該車両画像６１の周囲に配置され、外部画像７１を撮影したカメラの撮影方向を呈示する方向呈示画像６５とが併せて表示されるので、これらの画像が関連付けられ、グラフィック表示を用いた新奇な表現によって、外部画像７１がどの方向を撮影したものであるかをユーザに伝達することができる。これにより、表示態様の斬新さを向上させつつ、外部画像の撮影方向をユーザに適切に伝達することができる。
【００６２】
（２）また、実施形態に係る表示装置１００は、液晶表示器１１１の表示内容を制御するマイクロコンピュータ１０１を更に備える。液晶表示器１１１は、通常表示状態においては、車両画像６１と、車両に関する情報を呈示するための計器画像（速度計４１、燃料計４２、回転計５１、水温計５２）とを表示し、方向呈示状態においては、車両画像６１と、外部画像７１と、方向呈示画像６５とを表示する。マイクロコンピュータ１０１は、ウインカ操作指示や障害物検知信号等の所定の入力信号を受け付けると、液晶表示器１１１を通常表示状態から方向呈示状態に遷移させ、回転計５１及び水温計５２に代えて外部画像７１を表示させる。
これにより、車両画像６１と計器画像とが表示された通常表示状態から方向呈示状態に遷移すると、当該計器画像が外部画像７１に切替わり、更に方向呈示画像６５が表示される。このため、例えば、ユーザは、ウインカ操作等の所定の操作を行なって入力信号をマイクロコンピュータ１０１に入力することにより、表示装置１００を通常表示状態から方向呈示状態に遷移させ、外部画像７１及び方向呈示画像６５を表示させることができる。或いは、障害物の検知情報に基づいて、ユーザからの入力なしで所定の入力信号がマイクロコンピュータ１０１に入力され、表示装置１００が通常表示状態から方向呈示状態に遷移し、外部画像７１及び方向呈示画像６５を表示する構成とすることができる。このように表示内容が遷移するので、利便性を向上しつつ、新奇な表現とすることができ、ユーザに斬新な印象を与えることができる。また、計器画像に代えて外部画像７１を表示するので、表示スペースを有効活用することができる。この場合、外部画像７１に代替される計器画像としては、法規制対象外のもの（例えば、回転数計５１、水温計５２等の速度計４１以外の計器画像。）を選択する。法規制上、メータユニットには速度情報を呈示する必要があるからである。
【００６３】
（３）また、実施形態に係る表示装置１００では、液晶表示器１１１は、通常表示状態から方向呈示状態に遷移する過程において、液晶表示器１１１の表示面に対する傾斜角θが徐々に小さくなるように車両画像６１を表示する。これにより、視点が車両の側方から上方に向けて変化するような印象をユーザに与えることができ、表示態様の斬新さを向上することができる。また、遷移後には車両を上方視した状態となるため、方向呈示画像６５を車両画像６１の近傍に表示した場合にカメラ８１の撮影方向をユーザが把握し易い。
【００６４】
（４）また、実施形態に係る表示装置１００では、マイクロコンピュータ１０１は、方向指示器が操作されたことを示す入力信号を受け付けると、液晶表示器１１１を通常表示状態から方向呈示状態に遷移させる。液晶表示器１１１は、方向呈示状態に遷移すると、車両画像６１と、複数のカメラ８１のうちの、方向指示器の操作に対応する撮影方向（例えば、左方向）を撮影したカメラ（例えば、カメラ８１ｃ）により撮影された外部画像７１と、方向呈示画像６５（例えば、方向呈示画像６５ｃ）と、を表示する。
このため、ユーザは、方向指示器を操作することにより、表示装置１００を通常表示状態から方向呈示状態に遷移させ、外部画像７１及び方向呈示画像６５を表示させることができる。この際、方向指示器の操作に対応する撮影方向を撮影したカメラ８１により撮影した外部画像７１が表示される。これにより、表示される外部画像７１の撮影方向を直感的に把握することができ、利便性を向上することができる。また、操作方向と撮影方向を一致させて新奇な表現とすることができ、ユーザに斬新な印象を与えることができる。
【００６５】
（５）また、変形例１に係る表示装置１００では、マイクロコンピュータ１０１は、車両６２の周辺に検知物が存在することを示す入力信号を受け付けると、液晶表示器１１１を通常表示状態から方向呈示状態に遷移させる。液晶表示器１１１は、方向呈示状態に遷移すると、車両画像６１と、複数のカメラ８１のうちの、検知物の存在方向に対応する撮影方向（例えば前方向）を撮影したカメラ（例えば、カメラ８１ａ）により撮影された外部画像７１と、方向呈示画像６５（例えば、方向呈示画像６５ａ）とを表示する。
この構成によれば、検知物の存在が検知されることにより、表示装置１００が通常表示状態から方向呈示状態に遷移し、外部画像７１及び方向呈示画像６５が表示される。また、この場合には、検知物の存在方向に対応する撮影方向を撮影したカメラ８１により撮影した外部画像７１が表示される。このため、例えば障害物である検知物の存在をユーザが速やかに認識することができるので、利便性を向上することができる。また、障害物の存在方向と撮影方向を一致させて新奇な表現とすることができ、ユーザに斬新な印象を与えることができる。
【００６６】
（６）また、変形例２に係る表示装置１００では、液晶表示器１１１は、通常表示状態においては、車両画像６１と、各々で呈示する情報が異なる複数の計器画像（速度計４１、燃料計４２、回転計５１、水温計５２）と、を表示し、方向呈示状態においては、車両画像６１と、外部画像７１と、方向呈示画像６５とを表示する。マイクロコンピュータ１０１は、ウインカ操作指示や障害物検知信号等の所定の入力信号を受け付けると、液晶表示器１１１を通常表示状態から方向呈示状態に遷移させ、受け付けた当該入力信号に基づいて特定した計器画像（速度計４１及び燃料計４２、又は回転計５１及び水温計５２）に代えて、当該特定した計器画像が表示されていた位置に、外部画像７１を表示させる。
このように、通常状態では複数の計器画像が表示され、方向呈示状態では、当該複数の計器画像うちの、入力信号に基づいて特定された計器画像（例えば、速度計４１及び燃料計４２）に代えて、当該特定された計器画像が表示されていた位置に、外部画像７１が表示される。即ち、入力信号の種別に従って、外部画像に代替される計器画像が異なる。入力信号は、ユーザからの操作によるものでもよいし、その他の例えば検知物の検知情報に基づくものでもよい。この構成によれば、表示画面の遷移を多様なものとすることができ、ユーザに斬新な印象を与えることができる。また、例えば左方向の操作が為された場合には、左側に表示されている計器画像に代えて外部画像が表示され、右方向の操作が為された場合には、右側に表示されている計器画像に代えて外部画像が表示される構成とすれば、ユーザの操作の方向と、外部画像が現れる方向とが一致するため、自身の操作に起因して外部画像の表示が開始されたことをユーザが直感的に把握し易い。
【００６７】
尚、本発明の技術的範囲は、上述した実施形態に限定されるものではない。上述した実施形態は、本発明の技術的範囲内で種々の変形や改良等を伴うことができる。
【００６８】
例えば、上述した実施形態では、４台のカメラ８１を備える構成としたが、２台以上のカメラを備える構成であればよく、カメラの取り付け位置も任意である。
【００６９】
また、上述した実施形態では、方向呈示画像６５である、方向呈示画像６５ａ、６５ｂ、６５ｃ、６５ｄのうち、外部画像７１を撮影したカメラの撮影方向を表す方向呈示画像の輝度を高く表示することにより、外部画像７１を撮影したカメラの撮影方向を呈示する構成としたが、撮影方向を呈示可能であれば、この他の構成も用いても構わない。例えば、外部画像７１を撮影したカメラの撮影方向を表す方向呈示画像（例えば、前方を表す方向呈示画像６５ａ）のみを表示し、これ以外の方向呈示画像（例えば、方向呈示画像６５ｂ、６５ｃ、６５ｄ）を表示しない構成としてもよいし、矢印等により撮影方向を呈示する構成としても構わない。
【００７０】
また、上述した実施形態では、複数（４台）のカメラ８１のうちの１つのカメラにより撮影された画像を外部画像７１とする構成としたが、外部画像７１としては少なくとも１つのカメラにより撮影された画像を用いればよく、例えば２つのカメラ８１ａ、８１ｂにより撮影された画像をそれぞれ外部画像とし、２つの外部画像７１を表示する構成としても構わない。この場合には、方向呈示画像として、方向呈示画像６５ａ、６５ｂの２つの画像の輝度を高く表示する構成とすることが考えられる。
【符号の説明】
【００７１】
４１  速度計
４２  燃料計
５１  回転計
５２  水温計
６１、６１Ａ、６１Ｂ、６１Ｃ  車両画像
６２  車両
６５、６５ａ、６５ｂ、６５ｃ、６５ｄ  方向呈示画像
７１  外部画像
８１、８１ａ、８１ｂ、８１ｃ、８１ｄ  カメラ
８３、８３ａ、８３ｂ、８３ｃ、８３ｄ  障害物検知センサ
１００  表示装置
１０１  マイクロコンピュータ（制御部）
１０２  読み出し専用メモリ
１０３、１０４、１１２  インタフェース
１０５  ＣＰＵ電源部
１０６  グラフィックコントローラ
１０７  フレームメモリ
１０８  Ｘドライバ
１０９  Ｙドライバ
１１０  ＬＣＤ電源部
１１１  液晶表示器（表示部）
１１１ａ  グラフィック表示領域
【図１】
2014221630.tif 000003
【図２】
2014221630.tif 000004
【図３】
2014221630.tif 000005
【図４】
2014221630.tif 000006
【図５】
2014221630.tif 000007
【図６】
2014221630.tif 000008